(57)【特許請求の範囲】
【請求項１】
長尺状の器具本体と、
前記器具本体の長手方向に直列に取り付けられる長尺状の複数の発光ユニットと、
を備え、
前記器具本体は、前記器具本体に固定され、かつ、前記器具本体に前記複数の発光ユニットの各々を離間して配置するための位置決め部材を有し、
前記発光ユニットは、
複数の発光素子が実装された発光素子基板と、
前記発光素子基板を覆う透光性カバーと、
を含み、
前記発光ユニット間において前記発光ユニットの長手方向の端部に取り付けられ、前記発光ユニットの短手方向の外側に突出した突出部を含むエンドカバーを更に有し、
前記位置決め部材は、前記発光ユニット間に、前記発光素子基板及び前記透光性カバーのうち少なくとも一方の膨張を許容する間隔を確保するとともに、隣接する前記発光ユニット同士の前記エンドカバーの突出部を支持して前記発光ユニット間の前記間隔を確保し、
前記位置決め部材は、
前記器具本体の外側面と接触する上面部と、
前記上面部に連なり前記器具本体に設けられた差込口から差し込まれて前記発光ユニットと接触する差込部と、
を備え、
前記差込部は、
前記上面部と対向する底面部と、
前記底面部の右側端部が前記上面部に向けて折り曲げられた右側面部と、
前記底面部の左側端部が前記上面部に向けて折り曲げられた左側面部と、
を有し、
前記右側面部及び前記左側面部は、隣接する前記発光ユニット同士の前記エンドカバーの突出部と接触し、
前記底面部は、隣接する前記発光ユニット同士の前記エンドカバーの突出部を支持して前記発光ユニット間の前記間隔を確保する
照明装置。
【請求項２】
前記位置決め部材により確保される前記発光素子基板間の前記間隔は、前記発光素子基板において長手方向に隣接する前記発光素子間の距離以下である請求項１に記載の照明装置。
【発明の詳細な説明】
【技術分野】
【０００１】
本発明は、照明装置及び照明装置用器具本体に関する。
【背景技術】
【０００２】
従来、蛍光灯等の発光体が照明器具の器具本体に取り付けられ、器具本体が天井や壁等の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられている。
【０００３】
このため、ＬＥＤを発光素子として使用した、天井又は壁取付用の照明装置が多数提案されている。例えば、以下の特許文献１には、発光素子を備える発光ユニットを天井等に取り付けられた器具本体に取り付けて、発光ユニットに対して電力を供給することにより、発光ユニットを発光させる照明装置が開示されている。また、例えば以下の特許文献２には、板金製の器具本体に板金製の反射笠を止め金具にて取り付ける照明装置が開示されている。
【先行技術文献】
【特許文献】
【０００４】
【特許文献１】特開２０１３−１７９０１４号公報
【特許文献２】特許第４０４５７８８号
【発明の概要】
【発明が解決しようとする課題】
【０００５】
近年では、一体型ＬＥＤベースライトの分野において、複数の発光ユニットを同一方向に直列に配置して、あたかも一本の長尺状の発光ユニットのように見せる照明装置が提案されている。このような照明装置においても、長時間の使用に伴う発熱により個々の発光ユニットにおいて発光素子が実装された発光素子基板やその発光素子基板を覆う透光性カバーが膨張する場合がある。
【０００６】
このとき、複数の発光ユニットが隙間なく配置されていると、発光ユニットの直列方向には発光素子基板や透光性カバーの膨張の余地がなく、発光ユニットの幅方向に発光素子基板や透光性カバーが膨張して歪な形状に変形する場合がある。しかしながら、直列に配置された発光ユニット間に必要以上に隙間を設けると、発光ユニット間の隙間が目立つようになり、一本の長尺状の発光ユニットのように見せることができなくなる。
【０００７】
本発明は、このような事情に鑑みてなされたものであり、直列に配置された発光ユニットの連続性を損なうことなく、直列方向に適度な隙間を設けて発光素子基板や透光性カバーの膨張を許容する照明装置の提供を目的とする。
【課題を解決するための手段】
【０００８】
上記課題を解決するために、本発明の一態様に係る照明装置は、長尺状の器具本体と、器具本体の長手方向に直列に取り付けられる長尺状の複数の発光ユニットと、を備える。器具本体は、当該器具本体に固定され、かつ、器具本体に複数の発光ユニットの各々を離間して配置するための位置決め部材を有する。発光ユニットは、複数の発光素子が実装された発光素子基板と、発光素子基板を覆う透光性カバーと、を含む。位置決め部材は、発光ユニット間に、発光素子基板及び透光性カバーのうち少なくとも一方の膨張を許容する間隔を確保する。
【発明の効果】
【０００９】
本発明の一態様によれば、直列に配置された発光ユニットの連続性を損なうことなく、直列方向に適度な隙間を設けて透光性カバーの膨張を許容する照明装置を提供することができる。
【図面の簡単な説明】
【００１０】
【図１】本発明の一実施形態に係る照明装置の外観を説明する斜視図である。
【図２】本発明の一実施形態に係る照明装置の外観を説明する六面図である。
【図３】本発明の一実施形態に係る照明装置の構成を説明する断面図である。
【図４】本発明の一実施形態に係る照明装置の器具本体の外観を説明する斜視図である。
【図５】本発明の一実施形態に係る照明装置の器具本体の構成を説明する分解斜視図である。
【図６】本発明の一実施形態に係る照明装置に設けられる、器具本体の取付部材を説明する斜視図及び断面図である。
【図７】本発明の一実施形態に係る照明装置に設けられる、器具本体の側板の外観を説明する六面図である。
【図８】本発明の一実施形態に係る照明装置に設けられる、器具本体の側板の外観を説明する斜視図である。
【図９】本発明の一実施形態に係る器具本体の取付部材及び取付部材に側板を取り付けた際の構成を示す平面図及び断面図である。
【図１０】本発明の一実施形態に係る照明装置に設けられる位置決め部材の外観を説明する斜視図である。
【図１１】本発明の一実施形態に係る照明装置に設けられる位置決め部材の外観を説明する六面図である。
【図１２】本発明の一実施形態に係る照明装置に設けられる位置決め部材の取付状態を示す断面図である。
【図１３】本発明の一実施形態に係る照明装置に設けられる位置決め部材の取付状態を示す断面斜視図である。
【図１４】本発明の一実施形態に係る照明装置の発光ユニットの外観を説明する斜視図である。
【図１５】本発明の一実施形態に係る発光ユニットの断面図である。
【図１６】本発明の一実施形態に係る発光ユニットの構成を示す分解斜視図である。
【図１７】本発明の一実施形態に係る主カバー部及びエンドカバーと支持部材との係合部を示す斜視図である。
【図１８】本発明の一実施形態に係るエンドカバーの構成例を説明する六面図である。
【図１９】本発明の一実施形態に係る発光素子基板の構成例を説明する平面図である。
【図２０】本発明の一実施形態に係る発光素子基板の他の構成例を説明する平面図である。
【図２１】本発明の一実施形態に係る配線の接続の構成例を説明する断面斜視図である。
【図２２】本発明の一実施形態に係る基板固定部材２５の配置を説明する斜視図である。
【図２３】本発明の一実施形態に係る基板固定部材２５の構成例を説明する正投影図である。
【図２４】本発明の一実施形態に係る基板固定部材２５の他の構成例を説明する正投影図である。
【図２５】本発明の一実施形態に係る反射部品を基板固定部材２５に取り付けた状態を説明する斜視図である。
【図２６】本発明の一実施形態に係る反射部品を基板固定部材２５に取り付けた状態を説明する断面図である。
【図２７】本発明の一実施形態に係る発光素子基板の構成例を説明する平面図である。
【図２８】本発明の一実施形態に係る電源部の構成を説明する分解斜視図である。
【図２９】本発明の一実施形態に係る電源部の断面斜視図及び配線を保護する保護機構を説明する断面図である。
【発明を実施するための形態】
【００１１】
＜実施形態＞
以下、本発明の一実施形態に係る照明装置について図面を参照しつつ説明する。
本発明の一実施形態に係る照明装置は、天井等の被取付面に設けられた取付孔（図示せず）内に埋め込まれて設置される埋め込み型の照明装置である。
なお、以下の実施形態において、照明装置が天井に埋め込まれて取り付けられる場合に最初に天井と対向する方向を照明装置の上方向とし、床方向を照明装置の下方向として説明する場合がある。また、図中、照明装置が天井に取り付けられた場合の上方向（天井方向）をＺ方向、下方向（床方向）を−Ｚ方向とする場合がある。更に、長尺形状の照明装置の長手方向の一方向をＸ方向、他方向を−Ｘ方向とし、長尺形状の照明装置の幅方向の一方向をＹ方向、他方向を−Ｙ方向とする場合がある。
【００１２】
［照明装置の全体構成］
図１は、本発明の一実施形態に係る照明装置１の外観を示す斜視図である。図１（ａ）は、照明装置１の上方向からの斜視図であり、図１（ｂ）は、照明装置１の下方向からの斜視図である。
図２は、照明装置１の外観を示す六面図であり、図２（ａ）は照明装置１の平面図、図２（ｂ）は照明装置１の右側面図、図２（ｃ）は照明装置１の底面図、図２（ｄ）は照明装置１の正面図、図２（ｅ）は照明装置１の背面図である。また、照明装置１の左側面図は、図２（ｂ）に示す右側面図と略同様であるため図示を省略する。
【００１３】
図３は、図２（ｂ）の照明装置１のＡ−Ａ断面を示す断面図である。
照明装置１は、例えば天井等の被取付面に取り付けられる照明装置用器具本体（以下、器具本体と記載する）１０と、発光ダイオード（ＬＥＤ：Ｌｉｇｈｔ  Ｅｍｉｔｔｉｎｇ  Ｄｉｏｄｅ）からなる発光素子（図示せず）を備えて、器具本体１０に取り付けられる発光ユニット２０とを備える。
【００１４】
図１及び図２に示すように、器具本体１０の床方向側には発光ユニット２０が取り付けられている。なお。本実施形態において、器具本体１０に対して２つの発光ユニット２０が取り付けられた照明装置１について説明する。
図３に示すように、器具本体１０は、発光ユニット２０が入り込むように取り付けられる発光ユニット取付凹部１１１を備える。器具本体１０の発光ユニット取付凹部１１１は、器具本体１０の取付部材１１と、取付部材１１の端部を覆う側板１２とで囲まれた空間である。発光ユニット取付凹部１１１は、器具本体１０の下面に形成された開口端に向かって広がる形状となるように形成されている。発光ユニット２０は、発光ユニット取付凹部１１１内に位置し、取付部材１１の内壁面に接触した状態で器具本体１０に取り付けられる。
【００１５】
［器具本体］
以下、器具本体１０の構成を説明する。
図４は、器具本体１０の下方向からの外観を示す斜視図である。
図５は、器具本体１０の構成を詳細に示す、器具本体１０の上方向からの分解図である。なお、図５には、器具本体１０に対する発光ユニット２０の取付方向を示すために、器具本体１０の構成部材ではない発光ユニット２０が図示されている。
【００１６】
図４及び図５に示すように、器具本体１０は、取付部材１１と、側板１２（１２ａ及び１２ｂ）と、バネ部１３（１３ａ，１３ｂ，１３ｃ及び１３ｄ）と、電源端子台１４（１４ａ及び１４ｂ）と、調光端子台１５（１５ａ及び１５ｂ）と、器具本体取付用孔部１６と、電力供給ケーブル用孔部１７と、保護部材１８と、位置決め部材１９（１９ａ及び１９ｂ）と、を備えている。
【００１７】
器具本体１０は、発光ユニット２０を取り付けるための発光ユニット取付凹部１１１が形成されるように、少なくとも一面に開口が形成された形状とされている。
以下、器具本体１０の各部について、図４から図７を参照して詳細に説明する。
図６は、取付部材１１の構成を説明するための図であり、図６（ａ）は、取付部材１１端部の拡大図、図６（ｂ）は、図５に示す取付部材１１のＢ−Ｂ断面を示す断面図である。
【００１８】
（取付部材）
取付部材１１は、バネ部１３により発光ユニット２０を支持している。また、取付部材１１は、発光ユニット２０から照射された光を反射する反射部材として機能していても良い。
取付部材１１は、例えば金属板からなり、プレス加工等にて所定の形状に成形されている。
【００１９】
図５及び図６に示すように、本発明の一実施形態において、取付部材１１は、天板部１１２と、天板部１１２の長辺のそれぞれに沿って折り曲げられた側縁部１１３と、側縁部１１３の先端部で側縁部１１３の折り曲げ方向と反対方向に向けて折り曲げられた枠部１１４と、を備えている。
図５に示すように、天板部１１２は、長尺状であり、器具本体１０では例えば矩形状に形成されている。天板部１１２は、器具本体１０が天井に埋め込まれて取り付けられる際に最初に天井と対向する面である。器具本体１０が天井に埋め込まれて設置された後には、天井内に位置する。
【００２０】
天板部１１２は、器具本体１０を天井内（被取付面）に取り付ける吊りボルトが挿入される器具本体取付用孔部１６や、電力供給ケーブル（図示せず）を照明装置１内に引き込むための電力供給ケーブル用孔部１７等を備えている。
図５に示すように、天板部１１２は、側板１２を固定するためのネジが挿入される１又は複数（図５では各端部に２つずつ、合計４つ）のネジ孔１１２ａを備えている。
【００２１】
また、天板部１１２は、後述する位置決め部材１９（１９ａ及び１９ｂ）を固定するためのネジが挿入される１又は複数（図５では両長辺に沿って２つずつ、合計４つ）のネジ孔１１２ｂを備えている。
図４及び図５に示すように、天板部１１２の天井と対向する面の裏面（すなわち、発光ユニット２０と対向する面）には、器具本体１０に発光ユニット２０を取り付けるためのバネ部１３（１３ａ，１３ｂ，１３ｃ及び１３ｄ）と、外部から電力を供給するための電力供給ケーブル（図示せず）が接続される電源端子台１４と、発光ユニット２０の明るさを連続的に増減調節する調光器（図示せず）からの調光信号線（図示せず）が接続される調光端子台１５と、発光ユニット２０の取付位置を規制するための位置決め部材１９と、が備えられている。
【００２２】
なお、本発明に係る照明装置１では、器具本体１０に対して１又は複数の発光ユニット２０が取り付け可能とされる。本発明の一実施形態に係る照明装置１では、図５に示すように、器具本体１０に対して２つの発光ユニット２０（第１発光ユニット２０ａ及び第２発光ユニット２０ｂ）が取り付け可能とされている。このため、天板部１１２には、２つの発光ユニット２０を取り付けるために必要な数量のバネ部１３、電源端子台１４、調光端子台１５が取り付けられている。
【００２３】
バネ部１３、電源端子台１４、調光端子台１５及び位置決め部材１９の詳細な構成については後述する。
図５及び図６に示すように、側縁部１１３は、天板部１１２の長辺のそれぞれに沿って折り曲げられることで天板部１１２と連続して形成されている。側縁部１１３は、床方向に近づくほど外側に開くような角度で折り曲げられている。側縁部１１３は、器具本体１０が天井に埋め込まれて設置された後には、天井内に位置する。
【００２４】
側縁部１１３は、側縁部１１３全体として床方向に近づくほど外側に開くような形状となるように成形されている。側縁部１１３は、金属板を複数回折り曲げて形成されている。側縁部１１３は、天板部１１２の長辺に沿って折り曲げられた第１斜面部１１３ａと、第１斜面部１１３ａの端部に沿って折り曲げられた第１斜面部１１３ａの折り曲げ方向と反対方向に向けて折り曲げられた平坦部１１３ｂと、平坦部１１３ｂの端部に沿って平坦部１１３ｂの折り曲げ方向と反対方向に向けて折り曲げられた第２斜面部１１３ｃと、含んでいる。第１斜面部１１３ａ、平坦部１１３ｂ及び第２斜面部１１３ｃは、天板部１１２と連続しており、交互に異なる方向に折り曲げられている。
【００２５】
第１斜面部１１３ａは、天板部１１２の長辺に沿って床方向に折り曲げられている。第１斜面部１１３ａは、床方向に近づくほど器具本体１０の外側に開くような形状となるように折り曲げられている。
また、第１斜面部１１３ａは、後述する位置決め部材１９（１９ａ及び１９ｂ）を設置するための差込口１１３ｄ（図５では２つの第１斜面部１１３ａ上に１つずつの合計２つ、うち一方は図示せず）を備えている。
【００２６】
平坦部１１３ｂは、第１斜面部１１３ａの端部（天板部１１２の長辺とは異なる長辺）に沿って第１斜面部１１３ａの折り曲げ方向とは逆方向に折り曲げられている。これにより、平坦部１１３ｂは、床と略平行であり、器具本体１０の外側に延びるように折り曲げられている。
第２斜面部１１３ｃは、平坦部１１３ｂの端部（平坦部１１３ｂと第１斜面部１１３ａ側との境界の長辺と対向する長辺）に沿って床方向に折り曲げられている。第２斜面部１１３ｃは、床方向に近づくほど器具本体１０の外側に開くような形状となるように折り曲げられている。
【００２７】
これにより、側縁部１１３は、側縁部１１３全体として、床方向に近づくほど外側に開くような形状となっている。
枠部１１４は、側縁部１１３から器具本体１０の外側方向に突出し、天井等の取付孔の開口の外周部分において被取付面と接触するようになっている。枠部１１４は、器具本体１０が取付孔内に引き込まれることを防止する。
【００２８】
図６に示すように、枠部１１４は、側縁部１１３の天板部１１２からの折り曲げ方向（床方向）とは反対の方向に折り曲げられて外側に突出する突出部１１４ａと、突出部１１４ａの先端部から上方向（天井方向）に折り曲げて形成された上折り曲げ部１１４ｂと、折り曲げ部１１４ｂの先端部から取付部材１１の内側方向に折り曲げられた内折り曲げ部１１４ｃと、爪部１１４ｄと、を含んでいる。器具本体１０を被取付面（図示せず）の取付孔内に設置した際には、内折り曲げ部１１４ｃは、被取付面と接触する。
【００２９】
突出部１１４ａは、側縁部１１３の天板部１１２からの折り曲げ方向（床方向）とは反対の方向に折り曲げられて外側に突出して形成されている。
上折り曲げ部１１４ｂは、突出部１１４ａの先端部から上方向（天井方向）に折り曲げられて形成されている。
図６（ｂ）に示すように、内折り曲げ部１１４ｃは、折り曲げ部１１４ｂの先端部から取付部材１１の内側方向に折り曲げられ、折り曲げ部１１４ｂ方向に向かって折り返されている。また、内折り曲げ部１１４ｃは、先端が折り曲げ部１１４ｂ方向に向かって折り返されていなくても良い。
【００３０】
これにより、突出部１１４ａ、上折り曲げ部１１４ｂ及び内折り曲げ部１１４ｃに囲まれた空間が形成される。この空間は、側板１２の一部が挿入される側板挿入空間１１５となる。
爪部１１４ｄは、内折り曲げ部１１４ｃの長手方向の両端部近傍において内折り曲げ部１１４ｃの一部を切り欠くことにより、内折り曲げ部１１４ｃの両端部に形成されている。爪部１１４ｄは、例えば上折り曲げ部１１４ｂの内側面に向かって折り曲げることができる。
爪部１１４ｄを折り曲げることにより、側板挿入空間１１５に挿入された側板１２（図５参照）の一部と爪部１１４ｄとを係合させて、側板１２を抜けにくくすることができる。なお、取付部材１１に対する側板１２の取付けについては、後述する。
【００３１】
（側板）
図１、図５、図７及び図８を参照して、側板１２について説明する。
図７は、側板１２の外観を示す六面図であり、図７（ａ）は側板１２の正面図、図７（ｂ）は側板１２の右側面図、図７（ｃ）は側板１２の左側面図、図７（ｄ）は側板１２の背面図、図７（ｅ）は側板１２の平面図、図７（ｆ）は側板１２の底面図である。
図８は、側板１２の正面左上方向からの外観を示す斜視図である。
側板１２は、例えば一枚の金属板からなり、プレス加工等にて所定の形状に成形されている。
【００３２】
図７（ａ）から図７（ｆ）及び図８に示すように、側板１２は、取付部材１１の長手方向の端部を覆う主面部１２１と、主面部１２１の底辺から器具本体１０の外側方向に突出する鍔部１２２と、主面部１２１の上辺から器具本体１０の内側方向に突出する取付部１２３と、主面部１２１の側辺から器具本体１０の内側方向に突出する側面突出部１２４と、取付部材１１の側板挿入空間１１５に挿入される第１挿入部１２５及び第２挿入部１２６と、を備えている。
【００３３】
主面部１２１は、取付部材１１の発光ユニット取付凹部１１１（図１参照）の両端を覆っている。主面部１２１には、開口部１２１ａが設けられている。複数の照明装置１を列状に配置して取り付ける場合には、複数の照明装置１の開口部１２１ａ同士が対向する。したがって、開口部１２１ａを介して一方の照明装置１から他方の照明装置１に電力供給ケーブルを引き回して、複数の照明装置１を互いに接続することができる。
【００３４】
鍔部１２２は、器具本体１０を天井等に取り付けた場合に、器具本体１０の枠部１１４と同様に、天井等の取付孔の開口の外周部分において被取付面と接触する。鍔部１２２は、器具本体１０が取付孔内に引き込まれることを防止する。
取付部１２３は、取付部材１１に取り付けられた場合に、天板部１１２の上面に沿うように形成されている（図１（ａ）参照）。取付部１２３は、１又は複数（図７では２つ）のネジ孔１２３ａを備えている。ネジ孔１２３ａは、側板１２を取付部材１１に取り付けた場合に、取付部材１１の天板部１１２に設けられたネジ孔１１２ａ（図６（ａ）参照）と対向する位置に設けられている。
【００３５】
側板１２は、ネジ孔１２３ａ及びネジ孔１１２ａに挿入されたネジ（図示せず）によって器具本体１０に固定される。
また、取付部１２３は、天板部１１２に対向する面の一部が他の部分より肉厚となっている肉厚部１２３ｂ（図７（ｆ）参照）が設けられている。肉厚部１２３ｂは、取付部１２３の端部が天板部１１２対向面側に折り曲げられることにより形成される。
【００３６】
肉厚部１２３ｂを設けることにより、肉厚部１２３ｂと取付部材１１の天板部１１２との接触圧力が他の部分よりも大きくなり、側板１２が取付部材１１から抜けにくくなる。
側面突出部１２４は、側板１２が取付部材１１に取り付けられた場合に、側縁部１１３（特に第２斜面部１１３ｃ）の外側面に沿うように形成されている（図１（ａ）参照）。
側面突出部１２４は、側縁部１１３に対向する面の一部が他の部分より肉厚となっている肉厚部１２４ａが設けられている。肉厚部１２４ａは、側面突出部１２４の端部が側縁部１１３対向面側に折り曲げられることにより形成される。
【００３７】
肉厚部１２４ａを設けることにより、肉厚部１２４ａと取付部材１１の側縁部１１３との接触圧力が他の部分よりも大きくなり、側板１２が取付部材１１から抜けにくくなる。
第１挿入部１２５は、取付部材１１の枠部１１４の突出部１１４ａ（図６（ａ）参照）の内側面に沿って、取付部材１１の側板挿入空間１１５に挿入される。
第１挿入部１２５は、例えば取付部材１１の両端部に設けられた爪部１１４ｄを上折り曲げ部１１４ｂの内側面に沿う方向に折り曲げることにより、爪部１１４ｄと突出部１１４ａとで挟まれる。これにより、側板１２の上下方向への移動が抑制される。
【００３８】
第２挿入部１２６は、取付部材１１の枠部１１４の上折り曲げ部（図６（ａ）参照）の内側面に沿って、取付部材１１の側板挿入空間１１５に挿入される。
第２挿入部１２６は、取付部材１１の爪部１１４ｄが上折り曲げ部１１４ｂの内側面に沿う方向に折り曲げられた後、第２挿入部１２６の先端部分を器具本体１０の長手方向の中心方向に折り曲げることができる。これにより、第２挿入部１２６の先端が取付部材１１の爪部１１４ｄに引っかかる。これにより、側板１２が取付部材１１から抜けにくくなる。
【００３９】
側板１２は、取付部材１１の長手方向両端部にそれぞれ取り付けられる。そして、側板１２は、取付部材１１の長手方向中央の幅よりも狭い幅を有している。このため、側板１２は、取付部材１１の端部を端部の幅が狭まる方向に変形させて、取付部材１１の長手方向両端に取り付けられる。
側板１２の幅は、天井等の被取付面に形成された取付孔に埋め込まれた後の器具本体１０の幅と同等である。これにより、天井内に取り付けた後の器具本体１０は、器具本体１０の長手方向における幅が側板１２の幅と同等となるように取付時の締付力を調整することで、器具本体１０の平面視での形状を矩形状に調整することができる。
ここで、本実施形態において、取付部材１１の「幅」とは、長尺状の照明装置１を平面視した場合の長手方向における「幅」、すなわち短手方向の長さをいう。
【００４０】
（側板と取付部材との取付）
以下、側板１２と取付部材１１との取付について、図４、図５、図７及び図９を参照して説明する。
図９は、天井取付前の器具本体１０の形状を説明するための平面図及び断面図である。図９（ａ）は、側板１２が取り付けられる前の取付部材１１の平面図であり、図９（ｂ）は、側板１２が取り付けられた後の取付部材１１（器具本体１０）の平面図である。また、図９（ｃ）は、図９（ｂ）の器具本体１０のＣ−Ｃ断面を示す断面図（すなわち側板１２が取り付けられた後の器具本体１０の長手方向中央の断面図）であり、図９（ｄ）は、図９（ｄ）の器具本体１０のＤ―Ｄ断面を示す断面図（すなわち側板１２が取り付けられた後の器具本体１０の端部の断面図）である。
【００４１】
図９（ａ）に示すように、側板１２が取り付けられる前の取付部材１１は、底面から見た形状が矩形状となっている。このとき、底面から見た場合の取付部材１１の長手方向における幅をＷ１とする。
一方、図９（ｂ）に示すように、側板１２が取り付けられた後の取付部材１１（器具本体１０）では、取付部材１１の長手方向端部の幅（図９（ｂ）中の幅Ｗ２）が、取付部材１１の長手方向中央の幅（図９（ｂ）中の幅Ｗ１’）よりも狭くなっている（幅Ｗ１’＞幅Ｗ２）。また、側板１２取り付け後の取付部材１１の長手方向中央の幅（幅Ｗ１’）は、側板１２取り付け前の取付部材１１の長手方向における幅（幅Ｗ１）と比較して、同等か狭くなっている（幅Ｗ１≧幅Ｗ１’）。
【００４２】
すなわち、側板１２が取り付けられた後の取付部材１１は、取付部材１１の長手方向中央が外側に膨らんだ形状となっている。これは、取付部材１１の両端部の幅がそれぞれ狭められた状態で、取付部材１１の両端部に側板１２が取り付けられるためである。
このとき、器具本体１０の端部における天板部１１２と第１斜面部１１３ａとのなす角θ１’（図９（ｄ）参照）は、器具本体１０の長手方向中央における天板部１１２と第１斜面部１１３ａとのなす角度θ１（図９（ｃ）参照）よりも小さくなっている。同様に、器具本体１０の端部における平坦部１１３ｂと第２斜面部１１３ｃとのなす角θ２’（図９（ｄ）参照）は、器具本体１０の長手方向中央における平坦部１１３ｂと第２斜面部１１３ｃとのなす角θ２（図９（ｃ）参照）よりも小さくなっている。
【００４３】
これにより、側板１２取り付け後の器具本体１０の両端部の幅が、側板１２取り付け前の器具本体１０の両端部の幅よりも狭くなる。また、天板部１１２や側縁部１１３の各部を変形させることなく器具本体１０の幅を変えることができる。
更に、器具本体１０の両端部では、幅が狭く、かつ角θ１’及び角θ２’が角θ１及び角θ２より小さくなっている。このため、器具本体１０端部における器具本体１０の高さは、長手方向中央部における器具本体１０の高さよりも高くなっている。器具本体１０の長手方向中央部は、器具本体１０取付時に吊りボルトが取付られ、上方へ引っ張り力がかかる。このため、器具本体１０が取り付けられた際には、器具本体１０中央部の幅が狭く、高さが高く変形するため、器具本体１０のゆがみがなくなる。
【００４４】
側板１２取り付け後における取付部材１１の長手方向中央の幅は、側板１２の幅の１０３％以上１０６％以下であることが好ましい。
取付部材１１の長手方向中央の幅を上述の範囲内とすることにより、所定の締付力で器具本体１０を被取付面に設けられた取付孔内に取り付けた際に、器具本体１０の平面視での形状が取付孔の形状に沿った矩形状となる。このため、取付孔の一部が取付孔の縁部と取付部材１１との間から露出することがなくなる。また、天井内に取り付けた後における照明装置１の設置領域の外観不良が防止される。
【００４５】
具体的には、側板１２取付前の取付部材１１は、側板の幅よりも１０ｍｍ程度大きい幅となるように形成しても良い。照明装置１には、一定の規格が存在する。このため、側板１２は規格に沿った数種類のサイズが存在する。
例えば、側板１２の幅が１７０ｍｍの場合には、側板１２取付前の取付部材１１の幅を１８０ｍｍとしても良い。また、側板１２の幅が２４０ｍｍの場合には、側板１２取付前の取付部材１１の幅を２５０ｍｍ、側板１２の幅が３２８ｍｍの場合には、側板１２取付前の取付部材１１の幅を３３８ｍｍとしても良い。
【００４６】
（バネ部）
図４に示すように、天板部１１２の発光ユニット２０（第１発光ユニット２０ａ及び第２発光ユニット２０ｂ）対向面には、複数のバネ部１３が取り付けられている。図４では、４つのバネ部（第１バネ部１３ａ、第２バネ部１３ｂ、第３バネ部１３ｃ及び第４バネ部１３ｄが取り付けられている。
【００４７】
一対の第１バネ部１３ａ及び第２バネ部１３ｂは、第１発光ユニット２０ａを取付部材１１に取り付けるためのバネ部である。一対の第３バネ部１３ｃ及び第４バネ部１３ｄは、第２発光ユニット２０ｂを取付部材１１に取り付けるためのバネ部である。
バネ部１３は、後述する発光ユニット２０のバネ受部２７と係合することにより、発光ユニット２０を器具本体１０に取り付けた状態を維持する。
【００４８】
（電源端子台）
電源端子台１４には、電力供給ケーブル（図示せず）が接続される。具体的には、電源端子台１４には、天井等の被取付面から導出されて発光ユニット２０の電源部２８（図５参照）との間を電気的に接続する電力供給ケーブルが接続される。電源端子台１４は、ネジ等（図示せず）により取付部材１１に取り付けられる。
【００４９】
（調光端子台）
調光端子台１５には、発光ユニット２０の明るさを連続的に増減調節する調光器（図示せず）からの調光信号線（図示せず）が接続される。調光器は、例えば壁に設置された照明装置用スイッチである。調光信号線は、照明装置用スイッチと接続され、壁内及び天井内を経由して被取付面から導出される。
また、調光器は、調光機能付きの照明装置用リモートコントローラであっても良い。この場合、例えば器具本体１０に設けられた受光部から調光信号線が導出されて調光端子台１５と接続される。調光端子台１５は、ネジ等（図示せず）により取付部材１１に取り付けられる。
【００５０】
（器具本体取付用孔部）
器具本体取付用孔部１６は、被取付面に器具本体１０を取り付けるために天井内から吊り下げられた吊りボルト（図示せず）を通すために設けられている。
（電力供給ケーブル用孔部）
電力供給ケーブル用孔部１７は、被取付面から導出された電力供給ケーブル（図示せず）を器具本体１０の発光ユニット取付凹部１１１内に引き込むために設けられている。電力供給ケーブル用孔部１７には、電力供給ケーブル用孔部１７の縁部を覆うように保護部材１８が取り付けられている。これは、電力供給ケーブルの電線を被覆する被覆材が電力供給ケーブル用孔部１７の縁部に接触して被覆材が損傷することを防ぐためである。
【００５１】
（位置決め部材）
位置決め部材１９は、図５に示すように、器具本体１０に２つの発光ユニット２０（第１発光ユニット２０ａ及び第２発光ユニット２０ｂ）を取り付ける際に、各発光ユニット２０が適切な位置に取り付けられるようにするための部品である。
位置決め部材１９は、器具本体１０の第１斜面部１１３ａに設けられた差込口１１３ｄから差し込まれ、天板部１１２に設けられたネジ孔１１２ｂの位置で、ネジによって固定される。位置決め部材１９は、取付部材１１の長手方向における中央部において、天板部１１２の一方の長辺と、他方の長辺で向き合うように取り付けられる。
【００５２】
後述するように、向き合って取り付けられた一対の位置決め部材１９（１９ａ及び１９ｂ、図４参照）によって、第１発光ユニット２０ａ及び第２発光ユニット２０ｂのそれぞれの位置が、他方の取付空間に位置しないように規制される。
以下、位置決め部材１９の形状について説明する。
図１０は、位置決め部材１９の外観を示す斜視図である。
【００５３】
図１１は、位置決め部材１９の外観を示す六面図であり、図１１（ａ）は位置決め部材１９の正面図、図１１（ｂ）は位置決め部材１９の右側面図、図１１（ｃ）は位置決め部材１９の左側面図、図１１（ｄ）は位置決め部材１９の背面図、図１１（ｅ）は位置決め部材１９の平面図、図１１（ｆ）は位置決め部材１９の底面図である。なお、位置決め部材１９において、照明装置１の外部方向に向かう面を正面、取付部材１１と対向する面を背面とする。
【００５４】
位置決め部材１９は、例えば金属製であり、プレス加工等にて所定の形状に成形されている。
図１０及び図１１（ａ）から図１１（ｆ）に示すように、位置決め部材１９は、取付部材１１の天板部１１２の外側面と接触する上面部１９１と、取付部材１１の第１斜面部１１３ａの外側面と接触する側面部１９２と、取付部材１１の第１斜面部１１３ａに設けられた差込口１１３ｄから差し込まれて、発光ユニット２０と接触する差込部１９３と、を備えている。
【００５５】
上面部１９１は、位置決め部材１９を取付部材１１に固定するためのネジを挿入する１又は複数（図１０においては２つ）のネジ孔１９１ａを備えている。ネジ孔１９１ａは、位置決め部材１９が取付部材１１に取り付けられた場合に、取付部材１１の天板部１１２に設けられたネジ孔１１２ｂ（図５参照）と対向する位置に設けられている。
位置決め部材１９は、ネジ孔１９１ａ及びネジ孔１１２ｂに挿入されたネジ（図示せず）によって取付部材１１に固定される。
【００５６】
側面部１９２は、上面部１９１の一端が折り曲げられて、取付部材１１の第１斜面部１１３ａの外側面と接触する形状に形成されている。上面部１９１と側面部１９２とのなす角は、取付部材１１の天板部１１２と第１斜面部１１３ａとがなす角とほぼ同等とされる。
側面部１９２が第１斜面部１１３ａと接触することにより、位置決め部材１９が安定的に取付部材１１に取り付けられる。
【００５７】
差込部１９３は、側面部１９２の一端から、上面部１９１が突出する方向と同じ方向に向けて折り曲げられて形成されている。このため、位置決め部材１９を取付部材１１に取り付けた場合に、差込部１９３は器具本体１０の内側方向に向けて突出するように折り曲げられている。差込部１９３は、断面形状が第１斜面部１１３ａに設けられた差込口１１３ｄと一致する形状に形成される。
【００５８】
図１０及び図１１（ａ）から図１１（ｆ）に示すように、差込部１９３は、上面部１９１と対向する底面部１９３ａと、底面部１９３ａの右側端部が上方（上面部１９１）に向けて折り曲げられた右側面部１９３ｂと、底面部１９３ａの左側端部が上方（上面部１９１）に向けて折り曲げられた左側面部１９３ｃと、を備えている。ここでは、底面部１９３ａと右側面部１９３ｂと左側面部１９３ｃとは、コの字型（Ｕ字型、凹字型）を形成する。したがって、差込部１９３は、コの字型の部分である。但し、コの字型は一例に過ぎない。実際には、ロの字型やＨ字型でも良い。また、差込部１９３は、底面部１９３ａと右側面部１９３ｂと左側面部１９３ｃとを含む直方体又は立方体でも良い。すなわち、差込部１９３は、少なくともコの字型の部分を含む形状であれば良い。右側面部１９３ｂ及び左側面部１９３ｃの外側面は、それぞれ発光ユニット２０の一部と接触する。これにより、例えば図１１（ｄ）の右側面部１９３ｂの左側に位置する発光ユニット２０は、右側面部１９３ｂの位置よりも左側に位置決めされる。
【００５９】
図１２は、位置決め部材１９を取り付けた照明装置１を取付部材１１の長手方向に平行であって、天板部１１２に直交する方向に切断した断面を示す断面図である。なお、図１２においては、向かい合って取り付けられた一対の位置決め部材１９（１９ａ，１９ｂ、図４参照）のうち、一方のみが図示されている。
図１３は、図１２で示す位置決め部材１９を取り付けた照明装置１の断面を説明する断面斜視図である。
【００６０】
図１２及び図１３は、共に、照明装置１の長手方向中央部を拡大して示している。また、図１２及び図１３において、図面左方向を照明装置１の正面方向、図面右方向を正面装置の背面方向とする。
図１２及び図１３に示すように、器具本体１０には、２つの発光ユニット２０（第１発光ユニット２０ａ及び第２発光ユニット２０ｂ）が取り付けられている。
【００６１】
このとき、第１発光ユニット２０ａに取り付けられた第１バネ受部２７ａ（図示せず）及び第２バネ受部２７ｂと、器具本体１０に取り付けられた第１バネ部１３ａ（図示せず）及び第２バネ部１３ｂとがそれぞれ係合している。これにより、第１発光ユニット２０ａは、器具本体１０に取り付けられている。
また、第２発光ユニット２０ｂに取り付けられた第３バネ受部２７ｃ及び第４バネ受部２７ｄと、器具本体１０に取り付けられた第３バネ部１３ｃ及び第４バネ部１３ｄとがそれぞれ係合している。これにより、第２発光ユニット２０ｂは、器具本体１０に取り付けられている。
【００６２】
また、後に詳細に説明するが、第１発光ユニット２０ａは、発光素子２１を備える発光素子基板２３が、長尺状の主カバー部２２１と、主カバー部２２１の長手方向端部を覆う第１エンドカバー２２２及び第２エンドカバー２２３と、からなる透光性カバー２２で覆われている。なお、第１エンドカバー２２２は、照明装置１の正面側のエンドカバーであり、第２エンドカバー２２３は、照明装置１の背面側のエンドカバーである。
【００６３】
第１発光ユニット２０ａ及び第２発光ユニット２０ｂは、第１発光ユニット２０ａの背面側に位置する第２エンドカバー２２３と、第２発光ユニット２０ｂの正面側に位置する第１エンドカバー２２２とが対向した状態で器具本体１０に取り付けられる。
このとき、位置決め部材１９の上面部１９１は、取付部材１１の天板部１１２に固定されている。また、器具本体１０の内部には、取付部材１１の外側面から差込口１１３ｄを介して位置決め部材１９の差込部１９３が差し込まれている。
【００６４】
器具本体１０の内部に差し込まれた差込部１９３の右側面部１９３ｂの側面には、第１発光ユニット２０ａの第２エンドカバー２２３の上面部２２３ａから上方に向けて突出する突出部２２３ｂが接触している。また、器具本体１０の内部に差し込まれた差込部１９３の左側面部１９３ｃの側面には、第２発光ユニット２０ｂの第１エンドカバー２２２の上面部２２２ａから上方に向けて突出する突出部２２２ｂが接触している。ここでは、突出部２２２ｂ及び突出部２２３ｂは、第１発光ユニット２０ａ及び第２発光ユニット２０ｂの短手方向の外側に突出している。
【００６５】
底面部１９３ａは、右側面部１９３ｂと左側面部１９３ｃを介して、第１エンドカバー２２２の突出部２２２ｂ及び第２エンドカバー２２３の突出部２２３ｂをそれぞれ支持し、第１発光ユニット２０ａと第２発光ユニット２０ｂとの間隔を確保する。第１発光ユニット２０ａと第２発光ユニット２０ｂとの間隔は、差込部１９３の右側面部１９３ｂと左側面部１９３ｃとの間の距離である。
【００６６】
差込部１９３の右側面部１９３ｂと左側面部１９３ｃとの間の距離は、第１発光ユニット２０ａの第２エンドカバー２２３と第２発光ユニット２０ｂの第１エンドカバー２２２とが接触しない程度の距離とされている。すなわち、底面部１９３ａは、第１発光ユニット２０ａの第２エンドカバー２２３と第２発光ユニット２０ｂの第１エンドカバー２２２とが接触しない程度の幅に形成されている。
【００６７】
ここで、接触しない程度の幅とは、照明装置１が未使用の状態や通常の使用状態の時のみならず、長時間の使用に伴い発光素子基板２３や透光性カバー２２が膨張した時にも接触しない程度の幅であると好ましい。但し、実際には、長時間の使用に伴う発熱等により発光素子基板２３や透光性カバー２２が膨張した時にのみ接触する程度の幅であっても良い。すなわち、接触しない程度の幅とは、発光素子基板２３及び透光性カバーのうち少なくとも一方の膨張をある程度許容する間隔である。例えば、本実施形態においては、膨張を許容する間隔を３．５ｍｍとすることができる。この間隔であれば、第１発光ユニット２０ａと第２発光ユニット２０ｂとの間で光が途切れることなく、発光素子基板２３や透光性カバー２２が膨張しても許容することができる。
【００６８】
このため、位置決め部材１９によって第１発光ユニット２０ａ及び第２発光ユニット２０ｂの長手方向の取付位置が規制される。
また、第１発光ユニット２０ａの第２エンドカバー２２３の上面部２２３ａと、第２発光ユニット２０ｂの第１エンドカバー２２２の上面部２２２ａは、それぞれ、差込部１９３の底面部１９３ａの下面と接触している。
【００６９】
このため、位置決め部材１９によって第１発光ユニット２０ａ及び第２発光ユニット２０ｂの上下方向の取付位置が規制される。
このように、位置決め部材１９を取付部材１１に取り付けることにより、器具本体１０に、複数の発光ユニット２０が正しい位置で容易に取り付け可能となる。
ここで、一対の位置決め部材１９は、互いに差込部１９３が向かい合うように取付部材１１に取り付けられている。このため、一対の位置決め部材１９のうちの一方の位置決め部材１９の差込部１９３の右側面部１９３ｂと、他方の位置決め部材１９の差込部１９３の左側面部１９３ｃとが対向する状態で取付部材１１に取り付けられている。また、一方の位置決め部材１９の差込部１９３の左側面部１９３ｃと、他方の位置決め部材１９の差込部１９３の右側面部１９３ｂとが対向する状態で取付部材１１に取り付けられている。
【００７０】
このため、第１発光ユニット２０ａは、一方の位置決め部材１９の差込部１９３の右側面部１９３ｂと、他方の位置決め部材１９の差込部１９３の左側面部１９３ｃとによって位置決めされる。また、第２発光ユニット２０ｂは、一方の位置決め部材１９の差込部１９３の左側面部１９３ｃと、他方の位置決め部材１９の差込部１９３の右側面部１９３ｂとによって位置決めされる。
【００７１】
また、器具本体１０に３つの発光ユニット２０を取り付ける照明装置１においては、器具本体１０に対して４つの位置決め部材１９が取り付けられる。このとき、一対の位置決め部材（向かい合う２つの位置決め部材１９）が、器具本体１０の長さを３分割する位置にそれぞれ取り付けられる。
また、器具本体１０に対して取り付け可能な発光ユニット２０の数に限りはない。そして、位置決め部材１９は、発光ユニット２０同士の間に位置するように取付部材１１に取り付けられれば良い。
【００７２】
（器具本体の取付について）
器具本体１０は、天井等の被取付面において、器具本体取付用孔部１６を介して吊りボルトとナット（いずれも図示せず）により固定される。このとき、吊りボルトの一端に取り付けられるナットの締付トルクが０．７Ｎ・ｍ以上１．０Ｎ・ｍ以下となるように取り付けられても良い。
【００７３】
締付トルクを上述の範囲内とすることにより、器具本体１０を被取付面に設けられた取付孔内に取り付けた際に、器具本体１０の平面視での形状が取付孔の形状に沿った矩形状となる。このため、取付孔の一部が取付孔の縁部と取付部材１１との間から露出することがなくなる。また、天井内に取り付けた後における照明装置１の設置領域の外観不良が防止される。
【００７４】
［発光ユニット］
以下、発光ユニット２０の構成を説明する。なお、以下に説明する発光ユニット２０の構成は、第１発光ユニット２０ａの構成を例にとって示しているが、第２発光ユニット２０ｂも第１発光ユニット２０ａと同様の構成である。
図１４は、発光ユニット２０の上方向からの外観を示す斜視図である。
【００７５】
図１５は、図１４に示す発光ユニット２０のＥ−Ｅ’断面を示す断面図である。
図１６は、発光ユニット２０の構成を示す分解斜視図である。
図１４、図１５及び図１６に示すように、発光ユニット２０は、発光素子２１と、透光性カバー２２（主カバー部２２１、第１エンドカバー２２２、第２エンドカバー２２３）と、発光素子基板２３と、支持部材２４と、基板固定部材２５（２５ａ〜２５ｎ）と、ネジ２６と、バネ受部２７（２７ａ及び２７ｂ）と、電源部２８と、反射部材２９（第１反射部品２９ａ、第２反射部品２９ｂ、第３反射部品２９ｃ）とを備えている。なお、図１６において、基板固定部材２５ａを固定するネジ２６にのみ参照符号を付し、基板固定部材２５ｂから基板固定部材２５ｎを固定するネジについては参照符号を省略している。
【００７６】
以下、発光ユニット２０の各部について詳細に説明する。
（透光性カバー）
図１６に示すように、透光性カバー２２は、発光素子２１を覆う主カバー部２２１と、第１エンドカバー２２２及び第２エンドカバー２２３とを備える。第１エンドカバー２２２は、主カバー部２２１の正面側の端部を覆うように取り付けられる。第２エンドカバー２２３は、主カバー部２２１の背面側の端部を覆うように取り付けられる。透光性カバー２２は、発光素子２１から照射された光を透過する機能を有している。
【００７７】
発光ユニット２０は、取付部材１１の天板部１１２及び第１斜面部１１３ａ（図６参照）、並びに側板１２（図５参照）で囲まれる領域に入り込む形状を有している。具体的には、透光性カバー２２が、発光素子２１を覆い、発光ユニット２０を器具本体１０に取り付けた際に器具本体１０に入り込む形状を有している。発光ユニット２０は、透光性カバー２２の一部が器具本体１０の取付部材１１の第１斜面部１１３ａの内壁面に接触した状態で器具本体１０に取り付けられる。
【００７８】
これにより、発光ユニット２０がたわんだ場合であっても照明装置の外観不良が生じにくくなる。これは、発光ユニット２０がたわんだ場合に発光ユニット取付凹部１１１に入り込んでいた透光性カバー２２が露出するのみであり、器具本体１０と発光ユニット２０との間に隙間が生じなくなるためである。
図１５及び図１７（ａ）及び図１７（ｂ）を参照して、主カバー部２２１の構成について説明する。
【００７９】
長尺状の主カバー部２２１は、一端に孔部２２１ａ及び２２１ｂを備えている。また、主カバー部２２１は、主カバー部２２１の長手方向に延びる案内レール２２１ｃ及び２２１ｄを備えている。
図１５に示すように、案内レール２２１ｃは、主カバー部２２１の一側面に設けられた一対のレールであり、案内レール２２１ｄは、主カバー部２２１の他の側面に設けられた一対のレールである。案内レール２２１ｃ及び２２１ｄのそれぞれは、支持部材２４の側面を支持可能に形成されている。
【００８０】
図１８は、第１エンドカバー２２２の構成を示す六面図であり、図１８（ａ）は第１エンドカバー２２２の正面図、図１８（ｂ）は第１エンドカバー２２２の右側面図、図１８（ｃ）は第１エンドカバー２２２の左側面図、図１８（ｄ）は第１エンドカバー２２２の背面図、図１８（ｅ）は第１エンドカバー２２２の平面図、図１８（ｆ）は第１エンドカバー２２２の底面図である。なお、第１エンドカバー２２２の正面は、発光ユニット２０の外側に面しており、第１エンドカバー２２２の背面は、発光ユニット２０の内側に面している。
【００８１】
第１エンドカバー２２２は、全体として、発光ユニット２０の端部を覆う形状となっている（図１４参照）。また、第１エンドカバー２２２は、第１エンドカバー２２２の上面部２２２ａから上方に向けて突出する突出部２２２ｂを有している。図１８（ｂ）、図１８（ｃ）及び図１８（ｅ）に示すように、第１エンドカバー２２２の突出部２２２ｂは、上面部２２２ａのうち背面寄りの位置に形成される。このため、突出部２２２ｂの正面側には、突出部２２２ｂと上面部２２２ａとで囲まれた空間が形成されている。
【００８２】
図１２及び図１３にて説明したように、第２発光ユニット２０ｂの突出部２２２ｂは、器具本体１０の内部に差し込まれた位置決め部材１９の左側面部１９３ｃの側面に接触している。また、突出部２２２ｂは、図１２及び図１３に図示する位置決め部材１９と向かい合うように配置された他の位置決め部材１９（図示せず）の右側面部１９３ｂにも接触している。これにより、照明装置１内で第２発光ユニット２０ｂの位置決めがなされる。
【００８３】
第１発光ユニット２０ａの突出部２２２ｂは、器具本体１０の内部に差し込まれた位置決め部材１９の左側面部１９３ｃの側面に接触している。また、突出部２２２ｂは、突出部２２２ｂは、図１２及び図１３に図示する位置決め部材１９と向かい合うように配置された他の位置決め部材１９（図示せず）の右側面部１９３ｂにも接触している。これにより、照明装置１内で第１発光ユニット２０ａの位置決めがなされる。
【００８４】
また、図１８（ｂ）、図１８（ｃ）、図１８（ｄ）及び図１８（ｆ）に示すように、第１エンドカバー２２２は、第１エンドカバー２２２の右側面に設けられた突出部２２２ｃと、第１エンドカバー２２２の左側面に設けられた突出部２２２ｄとを備えている。突出部２２２ｃ及び突出部２２２ｄは、支持部材２４（図１６参照）に設けられた孔部に係合可能に形成されている。
【００８５】
（支持部材と主カバー部との取り付け）
図１５に示すように、支持部材２４は、主カバー部２２１の案内レール２２１ｃ及び２２１ｄのそれぞれによって支持部材２４の側面が保持される。また、支持部材２４と主カバー部２２１とは、例えばリベットによって固定される。
主カバー部２２１の孔部２２１ａ及び２２１ｂは、主カバー部２２１が支持部材２４を保持した場合に、支持部材２４の孔部２４ｅ及び２４ｆと対向する位置に設けられている（図１７（ａ）及び図１７（ｂ）参照）。このため、主カバー部２２１の孔部２２１ａと、対向する支持部材２４の孔部２４ｅに主カバー部２２１側からリベットを通し、支持部材２４側でリベットを潰す。また、主カバー部２２１の孔部２２１ｂと、対向する支持部材２４の孔部２４ｆにも同様に主カバー部２２１側からリベットを通し、支持部材２４側でリベットを潰す。これにより、発光ユニット２０の一端において主カバー部２２１と支持部材２４とが固定される。
【００８６】
（支持部材とエンドカバーとの取り付け）
第１エンドカバー２２２は、固定された支持部材２４及び主カバー部２２１の端部に取り付けられる。このとき、第１エンドカバー２２２の突出部２２２ｃ及び２２２ｄが、支持部材２４に設けられた孔部２４ｉ及び２４ｊに係合される（図１７（ａ）、図１７（ｂ）参照）。
【００８７】
また、支持部材２４は、支持部材２４の一部を切り起こして形成された折り曲げ部２４ｇ及び２４ｈを備えている。折り曲げ部２４ｇ及び２４ｈを下方向に折り曲げることにより、突出部２２２ｃ及び２２２ｄの裏面に折り曲げ部２４ｇ及び２４ｈが位置する。このため、突出部２２２ｃ及び２２２ｄが孔部２４ｉ及び２４ｊから外れにくくし、第１エンドカバー２２２が支持部材２４から外れにくくすることができる。
また、第２エンドカバー２２３は、第１エンドカバー２２２と同様の構成を有しており、発光ユニット２０の背面側の端部において第１エンドカバー２２２と同様の方法で支持部材２４に取り付けられている。
【００８８】
（発光素子基板）
図１９は、発光素子基板２３（図１９では２枚の発光素子基板２３１及び２３２）の構成を示す平面図である。以下、発光素子基板２３として、２枚の発光素子基板２３１及び２３２について説明する。
図１９に示すように、発光素子基板２３１及び２３２はそれぞれ、一方向に長く延びた長尺形状の板状部材であり、一方の面に複数の発光素子２１が実装される。図１９に示すように、長尺形状の複数の発光素子基板が、互いの短辺同士が対向する状態で発光素子基板の長手方向に列状に並べられて発光素子基板２３を構成する。
【００８９】
図１９に示すように、発光素子基板２３１及び２３２には、発光素子２１に電力を供給するための配線２８ｄがそれぞれ接続される。このとき、発光素子基板２３１及び２３２は、支持部材２４の基板支持面２４ａに設けられた貫通部２４ｄを介して接続された配線２８ｄにより電源部２８と接続される。電源部２８の電源回路から供給された電力は、配線２８ｄを介して発光素子２１に供給される。
【００９０】
また、図１９に示すように、発光素子基板２３１及び２３２は、配線２３ｃにより互いに電気的に接続される。
発光素子基板２３１及び２３２上には、電源部２８から導出される配線２８ｄが接続される電源接続用端子群（コネクタ２３１ａ及び２３２ａ）が設けられている。また、発光素子基板２３１及び２３２上には、隣り合う発光素子基板２３１及び２３２間を接続する配線２３ｃが接続される基板接続用端子群（コネクタ２３１ｂ及び２３２ｂ）が設けられている。電源接続用端子群及び基板接続用端子群は、発光素子基板２３１及び２３２の対向する短辺側の端部にそれぞれ配置されている。
【００９１】
すなわち、発光素子基板２３１の一方の短辺側の端部には、第１電源接続用端子であるコネクタ２３１ａと、第１基板接続用端子であるコネクタ２３１ｂとが設けられている。また、発光素子基板２３２の一方の短辺側の端部には、第２電源接続用端子であるコネクタ２３２ａと、第２基板接続用端子であるコネクタ２３２ｂとが設けられている。そして、発光素子基板２３１のコネクタ２３１ａ及びコネクタ２３１ｂが設けられた側の短辺と、発光素子基板２３２のコネクタ２３２ａ及びコネクタ２３２ｂが設けられた側の短辺とが対向配置される。なお、発光素子基板２３１及び２３２は、互いに同一の構成を有していても良い。
【００９２】
ここで、コネクタ２３１ａ及びコネクタ２３２ａの一方はプラス側端子であり、他方はマイナス側端子である。コネクタ２３１ｂ及びコネクタ２３２ｂは、配線２３ｃによって接続されている。
このため、発光素子基板２３１上に設けられた複数の発光素子２１と発光素子基板２３２上に設けられた複数の発光素子２１とが、コネクタ２３１ａとコネクタ２３２ａとの間で直列に接続される。
【００９３】
このような構成とすることにより、発光素子基板２３１及び２３２の組み立て工程が容易になる。また、このような構成とすることにより、発光素子基板２３１及び２３２同士を接続する配線２３ｃ及び電源部２８からの配線２８ｄの引きまわし距離を短くすることができる。このため、ノイズの発生を抑制することができる。
また、電源接続用端子群（コネクタ２３１ａ及び２３２ａ）は、発光素子基板２３（発光素子基板２３１及び２３２）の一方の長辺に沿って配置され、基板接続用端子群（コネクタ２３１ｂ及び２３２ｂ）は、発光素子基板２３（発光素子基板２３１及び２３２）の他方の長辺に沿って配置される。
【００９４】
このとき、発光素子基板２３１及び２３２上において、コネクタ２３１ａ及び２３２ａは、少なくとも１個の発光素子２１を介して配置されることが好ましい。同様に、コネクタ２３１ｂ及び２３２ｂは、少なくとも１個の発光素子２１を介して配置されることが好ましい。これは、コネクタ２３１ａ及び２３２ａ、並びにコネクタ２３１ｂ及び２３２ｂのそれぞれの間の沿面距離を確保するためである。
【００９５】
なお、図１９に示すように、コネクタ２３１ａ及び２３１ｂは、発光素子基板２３１の短辺に最も近い位置に設けられた発光素子２１と、短辺に２番目に近い位置に設けられた発光素子２１との間の領域Ｘに設けられることが好ましい。また、コネクタ２３１ａ及び２３１ｂは、上述した領域Ｘのうち、短辺に２番目に近い位置に設けられた発光素子２１よりも、短辺に最も近い位置に設けられた発光素子２１に近い位置に設けられることが好ましい。
【００９６】
同様に、コネクタ２３２ａ及び２３２ｂは、発光素子基板２３２の短辺に最も近い位置に設けられた発光素子２１と短辺に２番目に近い位置に設けられた発光素子２１との間の領域Ｙに設けられることが好ましい。また、コネクタ２３２ａ及び２３２ｂは、上述した領域Ｙのうち、短辺に２番目に近い位置に設けられた発光素子２１よりも、短辺に最も近い位置に設けられた発光素子２１に近い位置に設けられることが好ましい。
【００９７】
また、図１９に示すコネクタ位置の他、図２０（ａ）、図２０（ｂ）及び図２０（ｃ）に示すように電源接続用端子群（コネクタ２３１ａ及び２３２ａ）と基板接続用端子群（コネクタ２３１ｂ及び２３２ｂ）とを配置しても良い。
これにより、発光素子基板２３１及び２３２の同一の長辺上に沿って配置されるコネクタ２３１ａ及び２３２ａ間、並びにコネクタ２３１ｂ及び２３２ｂ間のそれぞれの沿面距離を確保しつつ、発光素子基板２３１及び２３２上を覆う反射部材（詳しくは後述する）の面積をより大きくすることができる。
【００９８】
（支持部材）
支持部材２４は、発光素子２１が実装される発光素子基板２３（図１５及び図１６参照）を支持する。支持部材２４は、発光素子２１の熱を放熱するヒートシンクの機能も有している。
図１７（ａ）及び図１７（ｂ）に示すように、支持部材２４は、発光素子基板２３と対向して発光素子基板２３を支持する基板支持面２４ａと、基板支持面２４ａの裏面側に設けられた電源部２８を支持する電源部支持面２４ｂと、基板支持面２４ａの両端に形成された光照射方向に突出する凸部２４ｃとを有している。基板支持面２４ａは、発光素子基板２３の幅よりも広く形成されている。また、支持部材２４は、発光素子基板２３を支持する基板支持面２４ａが凸部２４ｃに対して器具本体１０方向に凹むように形成されている。
【００９９】
支持部材２４は、基板支持面２４ａにおいて、発光素子基板２３の幅方向の両端部に設けられる複数の基板固定部材２５により発光素子基板２３を固定する（詳細は後述する）。なお、支持部材２４の基板支持面２４ａの裏面（電源部支持面２４ｂ）には、支持部材２４に基板固定部材２５を固定するためのネジ２６等により、複数の突起が生じる。
図２０に示すように、凸部２４ｃの頂部は、支持部材２４の外側ほど大きく突出するように傾斜して形成されることが好ましい。また、凸部２４ｃの頂部は、発光素子２１の１／２ビーム角領域内に入り込まない形状であることが好ましい。
【０１００】
図２１は、図１９のＢ−Ｂ’断面を示す斜視断面図である。図１９及び図２１に示すように、支持部材２４は、電源部２８から導出される配線２８ｄを通すための貫通部２４ｄを備える。貫通部２４ｄは、基板支持面２４ａ上に設けられる。
ここで、図１４に示すように、支持部材２４は、支持部材２４の長尺方向の両端に発光素子基板２３を固定するための第１の基板固定部及び第２の基板固定部を有している。第１の基板固定部及び第２の基板固定部は、例えば支持部材２４の長尺方向の両端において電源部支持面２４ｂに突出した基板固定部材２５を固定するためのネジ２６等を取り付けるネジ孔等の位置を示す。
【０１０１】
貫通部２４ｄは、第１の基板固定部と第２の基板固定部との間に設けられることが好ましい。これにより、貫通部２４ｄを通して電源部支持面２４ｂから基板支持面２４ａに引き回される配線２８ｄが、電源部支持面２４ｂで露出したネジ２６の先端に引っかかることを防止することができる。
また、図１４に示すように、支持部材２４は、支持部材２４の基板支持面の裏面側（電源部支持面２４ｂ）に、発光ユニット２０を器具本体１０に取り付けるための第１の取付部（第１バネ受部２７ａ）及び第２の取付部（第２バネ受部２７ｂ）が設けられている。
【０１０２】
貫通部２４ｄは、第１バネ受部２７ａと第２バネ受部２７ｂとの間に設けられることがより好ましい。これにより、貫通部２４ｄを通して電源部支持面２４ｂから基板支持面２４ａに引き回される配線２８ｄが、電源部支持面２４ｂで露出したネジ２６の先端や、電源部支持面２４ｂに取り付けられた第１バネ受部２７ａ及び第２バネ受部２７ｂに引っかかることを防止することができる。
【０１０３】
また、図２１に示すように、貫通部２４ｄは、支持部材２４の電源部２８と対向する位置に設けられることが更に好ましい。電源部２８と対向する位置に貫通部２４ｄを設けることにより、電源部２８から導出した配線２８ｄは、支持部材２４の電源部支持面２４ｂに露出することなく、貫通部２４ｄを通じて基板支持面２４ａ上の発光素子基板２３と接続することができる。このため、配線２８ｄを支持部材２４上の広い領域内で引き回す必要がなく、配線２８ｄを短くすることができ、発光ユニット２０の組み立て性が向上する。また、配線が２８ｄ外部に露出しないため、安全性が向上し、配線の二重被覆が不要となる。
【０１０４】
また、図１７（ａ）及び図１７（ｂ）に示すように、支持部材２４には、孔部２４ｅ及び２４ｆ、折り曲げ部２４ｇ及び２４ｈ及び孔部２４ｉ及び２４ｊが形成されている。
上述したとおり、孔部２４ｅ及び２４ｆは、主カバー部２２１を取り付けるためのリベット等が挿入される。孔部２４ｉ及び２４ｊは、第１エンドカバー２２２の突出部２２２ｃ及び２２２ｄを係合する。折り曲げ部２４ｇ及び２４ｈは、下方向に折り曲げることにより、突出部２２２ｃ及び２２２ｄの裏面を支持する。これにより、突出部２２２ｃ及び２２２ｄの裏面が孔部２４ｉ及び２４ｊから外れにくくし、第１エンドカバー２２２が支持部材２４から外れにくくすることができる。
【０１０５】
（基板固定部材）
基板固定部材２５（２５ａ〜２５ｎ）は、支持部材２４の基板支持面２４ａにおいて、発光素子基板２３の両端部に設けられ、発光素子基板２３を支持部材２４に固定する。図１６に示す発光ユニット２０では、基板固定部材２５ａから基板固定部材２５ｎの１４個の基板固定部材２５が発光素子基板２３の両端部に複数備えられている。以下、基板固定部材２５ａから基板固定部材２５ｎを基板固定部材２５と記載する。
【０１０６】
図２２に示すように、基板固定部材２５は、発光素子基板２３の側部を支持し、かつ発光素子基板２３の発光素子実装面上に突出する形状を有している。また、基板固定部材２５は、ネジ２６によって支持部材２４に固定される。
このため、発光素子基板２３は、支持部材２４に対して浮きがないように固定される。
図２３は、図１６における基板固定部材２５ａ〜２５ｃ，２５ｅ〜２５ｇ，２５ｈ〜２５ｊ，２５ｌ〜２５ｎの形状を示す正投影図である。図２３（ａ）は基板固定部材の正面図であり、図２３（ｂ）は基板固定部材の右側面図であり、図２３（ｃ）は基板固定部材の左側面図であり、図２３（ｄ）は基板固定部材の背面図であり、図２３（ｅ）は基板固定部材の平面図であり、図２３（ｆ）は基板固定部材の底面図である。
【０１０７】
図２３に示す基板固定部材（以下、基板固定部材２５１と記載する）は、支持部材２４の基板支持面２４ａの両端に形成された光照射方向に突出する凸部２４ｃと発光素子基板２３との間に配置される主部２５１ａと、発光素子基板２３の実装面の一部を覆い発光素子基板２３を支持部材２４方向に押さえる基板押さえ部２５１ｂと、反射部材を主部２５１ａの表面上に保持する反射部品保持部２５１ｃと、を有する。また、基板固定部材２５１は、基板固定部材２５１がネジ２６で固定される際にネジ止めされるネジ止め部２５１ｄを有する。
【０１０８】
図２２及び図２３に示すように、基板固定部材２５１は、発光素子２１から照射された光を反射する反射部材を固定する。具体的には、基板固定部材２５１の基板押さえ部２５１ｂは、発光素子基板２３とともに、発光素子２１を露出させかつ発光素子基板２３を被覆する第１反射部品２９ａ（図１６参照）を支持部材２４方向に押さえる。
また、基板固定部材２５１の反射部品保持部２５１ｃは、第１反射部品２９ａの幅方向の両端から、発光素子２１からの光の照射方向に向かって傾斜して配置される第２反射部品２９ｂ及び第３反射部品２９ｃ（図１６参照）を主部２５１ａの表面上に保持する。このとき、反射部品保持部２５１ｃは、支持部材２４の凸部２４ｃの頂部との間に第２反射部品２９ｂ又は第３反射部品２９ｃを保持可能な間隙を設けた状態で、頂部の一部を覆うように形成される。すなわち、反射部品保持部２５１ｃは、基板固定部材２５１が支持部材２４に取り付けられた際に、支持部材２４の凸部２４ｃの頂部と密着しない形状に形成される。反射部品保持部２５１ｃと支持部材２４の凸部２４ｃの頂部との間に形成された間隙に第２反射部品２９ｂ又は第３反射部品２９ｃが保持可能とされる。
【０１０９】
図２４は、図１６における基板固定部材２５ｄ，２５ｋの形状を示す正投影図である。図２４（ａ）は基板固定部材の正面図であり、図２４（ｂ）は基板固定部材の右側面図であり、図２４（ｃ）は基板固定部材の左側面図であり、図２４（ｄ）は基板固定部材の背面図であり、図２４（ｅ）は基板固定部材の平面図であり、図２４（ｆ）は基板固定部材の底面図である。
【０１１０】
図２４に示す基板固定部材（以下、基板固定部材２５２と記載する）は、基板固定部材２５１の主部２５１ａに対応する主部２５２ａと、基板押さえ部２５１ｂに対応する基板押さえ部２５２ｂと、反射部品保持部２５１ｃに対応する反射部品保持部２５２ｃと、ネジ止め部２５１ｄに対応するネジ止め部２５２ｄと、を有している。また、基板固定部材２５２は、更に発光素子基板２３に接続される配線２３ｃ及び２８ｄを固定する配線固定機構２５２ｅを有している。
【０１１１】
基板固定部材２５２は、発光素子基板２３１及び２３２に接続される配線２３ｃ又は２８ｄ（図１９参照）を覆う位置に配置される。本実施形態の発光ユニット２０では、基板固定部材２５２は、発光素子基板２３１及び２３２のつなぎ目部分に配置される。配線固定機構２５２ｅは、基板固定部材２５２が支持部材２４に固定された場合でも配線２３ｃ又は２８ｄが導出可能な空間を確保可能な形状に形成されている。そして、配線２３ｃ又は２８ｄは、配線固定機構２５２ｅを通して発光素子基板２３１及び２３２と接続される。このため、基板固定部材２５２を用いることで、基板固定部材２５による配線２３ｃ及び２８ｄへの圧迫を防止することができる。
【０１１２】
また、基板固定部材２５２の主部２５２ａ、基板押さえ部２５２ｂ、反射部品保持部２５２ｃ、及びネジ止め部２５２ｄについては、基板固定部材２５１の主部２５１ａ、基板押さえ部２５１ｂ、反射部品保持部２５１ｃ及びネジ止め部２５１ｄと同様の機能を有する。
このような基板固定部材２５（基板固定部材２５１及び２５２）は、例えば樹脂材料を射出成型することにより形成される。
【０１１３】
基板固定部材２５は、高反射性材料で形成されることが好ましい。基板固定部材２５の一部が基板固定部材２５が第１反射部品２９ａ、第２反射部品２９ｂ又は第３反射部品２９ｃから露出しても、発光素子２１の光を効率良く反射することができるためである。
また、発光素子基板２３１及び２３２に接続される配線２３ｃ及び２８ｄを覆うように配置される基板固定部材２５（図１６及び図２２に示す基板固定部材２５ｄ及び２５ｋ）は、透明材料で形成されることが好ましい。基板固定部材２５を通して配線２３ｃの配線状態を確認することができるため、基板固定部材２５による配線２３ｃ及び２８ｄの圧迫をより容易に防止することができる。
【０１１４】
（反射部材）
反射部材２９は、発光素子２１から照射された光を反射する機能を有する。発光素子２１から照射された光は、反射部材２９によって予め設定した方向（例えば、床面に向かう方向）へ反射される。反射部材２９は、発光素子基板２３、支持部材２４又は基板固定部材２５等の任意の個所で接着剤、ピン、ネジ等によって固定される。
【０１１５】
図１５及び図１６に示すように、本実施形態に係る発光ユニット２０は、反射部材２９として、第１反射部品２９ａと、第２反射部品２９ｂと、第３反射部品２９ｃとを有している。第１反射部品２９ａは、発光素子２１を露出させかつ発光素子基板２３（発光素子基板２３１及び２３２）を被覆している。第２反射部品２９ｂは、第１反射部品２９ａの幅方向の一端部から、発光素子２１からの光の照射方向に向かって傾斜して配置される。第３反射部品２９ｃは、第１反射部品２９ａの幅方向の他端部から、発光素子２１からの光の照射方向に向かって傾斜して配置される。第１反射部品２９ａ、第２反射部品２９ｂ及び第３反射部品２９ｃは、互いに異なる部品である。これにより、第１反射部品２９ａ、第２反射部品２９ｂ及び第３反射部品２９ｃのそれぞれの取付けが容易になる。
【０１１６】
また、発光素子基板２３の発光素子２１の実装面側には、図示しない抵抗素子が設けられる場合がある。この場合、第１反射部品２９ａには、発光素子２１を露出させる開口とともに、抵抗素子を露出させる開口が設けられる。
第１反射部品２９ａに上述した開口を設けることにより、発光素子２１から照射された光が第１反射部品２９ａ、第２反射部品２９ｂ及び第３反射部品２９ｃの全面で反射され、効率的に照明装置１の発光に利用される。
【０１１７】
図２５は、第１反射部品２９ａ、第２反射部品２９ｂ及び第３反射部品２９ｃを基板固定部材２５（２５ａ〜２５ｎ）に取り付けた状態を示す斜視図である。図２６は、図２５に示すＧ−Ｇ断面を示す断面図である。
図２５及び図２６に示すように、第２反射部品２９ｂは、第２反射部品２９ｂの幅方向の発光素子基板２３に隣接する側の一端が発光素子基板２３の幅方向の一端よりも外側に位置するように配置される。また、第３反射部品２９ｃは、第３反射部品２９ｃの幅方向の発光素子基板２３に隣接する側の一端が発光素子基板２３の幅方向の他端よりも外側に位置するように配置される。すなわち、第２反射部品２９ｂ及び第３反射部品２９ｃは、発光素子基板２３上に設けられた第１反射部品２９ａ上にかぶらないように配置される。
【０１１８】
また、第２反射部品２９ｂは、第２反射部品２９ｂの幅方向の発光素子基板２３に隣接する側の一端が発光素子基板２３の幅方向の一端と隙間なく対向するように配置されることが好ましい。また、第３反射部品２９ｃは、第３反射部品２９ｃの幅方向の発光素子基板２３に隣接する側の一端が発光素子基板２３の幅方向の他端と隙間なく対向するように配置されることが好ましい。
【０１１９】
ここで、本実施形態において「隙間なく対向」とは、第１反射部品２９ａ及び第２反射部品２９ｂ、並びに第１反射部品２９ａ及び第３反射部品２９ｃが完全に隙間なく配置される場合に限られない。「隙間なく対向」とは、発光素子基板２３（発光素子基板２３１及び２３２）の実装面側から見た場合に、第２反射部品２９ｂの幅方向の発光素子基板２３に隣接する側の一端の位置と、発光素子基板２３の幅方向の一端の位置とが一致することをいう。
【０１２０】
第１反射部品２９ａは、基板固定部材２５によって支持部材２４の基板支持面２４ａ上で固定される。また、第２反射部品２９ｂ及び第３反射部品２９ｃは、支持部材２４の凸部２４ｃの頂部と基板固定部材２５の一部との間に形成された間隙に嵌め込まれて固定される。具体的には、第２反射部品２９ｂ及び第３反射部品２９ｃは、支持部材２４の凸部２４ｃの頂部と基板固定部材２５１の反射部品保持部２５１ｃとの間に形成された間隙に嵌め込まれている。これにより、第２反射部品２９ｂ及び第３反射部品２９ｃは、支持部材２４の凸部２４ｃの頂部の形状に沿って傾斜する。なお、第２反射部品２９ｂと第３反射部品２９ｃは、異なる基板固定部材２５で固定されている。
【０１２１】
これにより、組み立て後の発光ユニット２０において、第２反射部品２９ｂ及び第３反射部品２９ｃが、透光性カバーの内壁面に形成された案内レール２２１ｃ及び２２１ｄにそれぞれ向かって傾斜して配置される。すなわち、第２反射部品２９ｂは、第２反射部品２９ｂの幅方向の発光素子基板２３に隣接しない側の一端（すなわち、発光素子基板２３に隣接する側の一端に対向する他端）が、透光性カバー２２の内壁面に形成された案内レール２２１ｃに向かって傾斜して配置される。また、第３反射部品２９ｃは、第３反射部品２９ｃの幅方向の発光素子基板２３に隣接しない側の一端（すなわち、発光素子基板２３に隣接する側の一端に対向する他端）が、透光性カバー２２の内壁面に形成された突出部２２１ｄに向かって傾斜して配置される。これにより、第２反射部品２９ｂ又は第３反射部品２９ｃが重量等によって床方向にずれた場合であっても、透光性カバー２２の案内レール２２１ｃ又は２２１ｄがストッパーとなり、第２反射部品２９ｂ又は第３反射部品２９ｃの落下を防止することができる。
【０１２２】
また、図２７（ａ）に示すように、発光素子基板２３上に配置される第１反射部品２９ａは、発光素子基板２３１上に配置される第１反射部品２９１ａと、発光素子基板２３２上に配置される第１反射部品２９２ａとに分けられる。図２７（ａ）において、第１反射部品２９１ａ及び第１反射部品２９２ａを斜線で示す。
このとき、第１反射部品２９１ａ及び２９２ａは、電源接続用端子群（コネクタ２３１ａ及び２３２ａ）と基板接続用端子群（コネクタ２３１ｂ及び２３２ｂ）とで囲まれる領域を除いた領域を被複する。すなわち、第１反射部品２９１ａは、発光素子基板２３上の、発光素子基板２３の一端部からコネクタ２３１ａ及び２３１ｂの設置位置までを被覆する。また、第１反射部品２９２ａは、発光素子基板２３上の、発光素子基板２３の他端部からコネクタ２３２ａ及び２３２ｂの設置位置までを被覆する。なお、図２７（ａ）では、配線２３ｃ及び配線２８ｄの図示を省略している。
【０１２３】
上述した「電源接続用端子群（コネクタ２３１ａ及び２３２ａ）と基板接続用端子群（コネクタ２３１ａ及び２３２ａ）とで囲まれる領域」には、発光素子基板２３１及び２３２上の対向する短辺側の端部に配置された２個以上の発光素子２１が含まれる。図２７では、第１反射部品２９１ａ及び２９２ａで覆われない領域に、４つの発光素子２１が含まれている。
【０１２４】
更に、図２７（ｂ）に示すように、発光ユニット２０は、２枚の発光素子基板２３１及び２３２の短辺を跨いで覆うように配置された基板対向部用反射部品２９３ａを有していても良い。図２７（ｂ）において、第１反射部品２９１ａ、第１反射部品２９２ａ及び基板対向部用反射部品２９３ａを斜線で示す。
これにより、２枚の発光素子基板２３１及び２３２のつなぎ目部分においても発光素子２１から照射される光を十分に反射することができるため、発光素子基板２３の全面において明るさを均一にすることができる。
【０１２５】
（バネ受部）
図５に示すように、バネ受部２７は、器具本体１０のバネ部１３と係合することにより、発光ユニット２０を器具本体１０に取り付ける。
具体的には、第１発光ユニット２０ａの第１バネ受部２７ａ及び第２バネ受部２７ｂは、器具本体１０の第１バネ部１３ａ及び第２バネ部１３ｂとそれぞれ係合する。また、第２発光ユニット２０ｂの第３バネ受部２７ｃ及び第４バネ受部２７ｄは、器具本体１０の第３バネ部１３ｃ及び第４バネ部１３ｄとそれぞれ係合する。
【０１２６】
（電源部）
電源部２８は、ＬＥＤ等の発光素子２１の点灯回路（即ち、電源回路）を内部に収納している。電源部２８は、図４で示される器具本体１０が取り付けられる天井等から発光ユニット取付凹部１１１内に導出される電力供給ケーブルと接続される。
図２８に示すように、電源部２８は、電源回路を備える電源基板２８ａと、絶縁部材２８ｂと、電源基板２８ａ及び絶縁部材２８ｂを内部に収容する電源ボックス２８ｃと、発光素子２１に対して電力を供給するための配線２８ｄ（配線２８ｄは図２８に図示せず）とを有している。
【０１２７】
電源部２８は、支持部材２４に近接して配置される。
電源基板２８ａに備えられた電源回路は、例えば、電力供給ケーブルから供給される交流電力を直流に変換し、その出力（即ち、直流電力）を発光素子２１に供給する。電源基板２８ａは、絶縁部材２８ｂの支持部材２４側の面に固定される。
また、図２１に示すように、電源基板２８ａは、電源ボックス２８ｃの内部空間において支持部材２４寄りに配置される。
【０１２８】
絶縁部材２８ｂは、ポリプロピレン、ポリエチレン等の高融点で絶縁性を有する樹脂材料からなる。絶縁部材２８ｂは、支持部材２４の電源部支持面２４ｂ上に配置される。これにより、電源基板２８ａは、絶縁部材２８ｂ上に配置されて、支持部材２４と絶縁される。
なお、絶縁部材２８ｂは、例えばシート状部材を複数回折り曲げた箱型形状であり、電源基板２８ａの周囲を包んで配置される。
【０１２９】
電源ボックス２８ｃは、プラスチック、アルミニウム又はステンレス等の材料からなる。電源ボックス２８ｃは、電源基板２８ａを覆う筐体である。
配線２８ｄは、支持部材２４の基板支持面２４ａに設けられた貫通部２４ｄを通って発光素子基板２３に接続される。
電源部２８は、例えば、電源ボックス２８ｃに設けられた図示しない爪部によって支持部材２４の電源部支持面２４ｂに固定されている。また、電源部２８は、ネジ等の締結部材によって支持部材２４の電源部支持面２４ｂに固定されていても良い。
【０１３０】
電源部２８は、照明装置１を底面視した場合に、図示しない電力供給ケーブルと重なっている。すなわち、電力供給ケーブルは、電源部２８の上面と器具本体１０との間に確保された電力供給ケーブル収容空間に配線される。このため、電力供給ケーブルによって発光ユニット２０の取付けが阻害されることがなくなる。
図２９は、電源部２８の断面斜視図及び配線を保護する保護機構を説明する断面図である。図２９（ａ）、図２９（ｂ）及び図２９（ｃ）は、それぞれ、配線保護用絶縁部材の第１の例、第２の例及び第３の例である。
【０１３１】
発光ユニット２０は、支持部材２４の貫通部２４ｄの内側に位置して配線２８ｄを保護する配線保護用絶縁部材を有していても良い。ここで、貫通部２４ｄの「内側」とは、貫通部２４ｄの中心軸に向かう方向を示す。
発光ユニット２０では、支持部材２４の貫通部２４ｄを介して電源部２８から基板支持面２４ａ側に配線２８ｄが導出される。このとき、配線２８ｄが、支持部材２４の貫通部２４ｄの内壁に当たって損傷する可能性がある。例えば、配線２８ｄが被覆材で覆われている場合には、被覆材が剥がれるおそれがある。このため、貫通部２４ｄの内壁と配線２８ｄとが接触しにくくなるような配線保護用絶縁部材を設けることが好ましい。
【０１３２】
配線保護用絶縁部材としては、以下のような例が挙げられる。
（１）第１の例
図２９（ａ）は、図１９のＦ−Ｆ断面を示す斜視断面図である。
貫通部２４ｄが支持部材２４の電源部２８に対向する位置に設けられている場合には、図２９（ａ）に示すように、絶縁部材２８ｂが配線保護用絶縁部材を兼ねることができる。すなわち、電源基板２８ａと接続された配線２８ｄは、支持部材２４の貫通部２４ｄを通って基板支持面２４ａに設けられた発光素子基板２３と接続される。このとき、電源基板２８ａと支持部材２４との間には絶縁部材２８ｂが備えられているため、絶縁部材２８ｂに、貫通部２４ｄよりも小さい貫通部２８１ｂを設けて、支持部材２４の貫通部２４ｄと絶縁部材２８ｂの貫通部２８１ｂとが重なるように絶縁部材２８ｂを配置する。このため、絶縁部材２８ｂによって、支持部材２４の貫通部２４ｄと配線２８ｄとを接触しにくくすることができる。
【０１３３】
（２）第２の例
図２９（ｂ）は、電源基板２８ａと、絶縁部材２８ｂと、支持部材２４に設けられた貫通部２４ｄを通じて、基板支持面２４ａ側に導出される配線２８ｄの構成を示す断面図である。
図２９（ｂ）に示すように、絶縁部材２８ｂとは異なる部品である配線保護用絶縁部材２８ｅが、支持部材２４の基板支持面２４ａ及び電源部支持面２４ｂの少なくとも一方の面（図２９（ｂ）では、電源部支持面２４ｂ）に密着して設けられていても良い。配線保護用絶縁部材２８ｅは、例えば、絶縁性を有する樹脂材料で形成される。
【０１３４】
図２９（ｂ）に示すように、配線保護用絶縁部材２８ｅは、貫通部２４ｄよりも小さい貫通部２８１ｅを備えており、支持部材２４の貫通部２４ｄと、配線保護用絶縁部材２８ｅの貫通部２８１ｅとが重なるように配線保護用絶縁部材２８ｅを配置する。このため、配線保護用絶縁部材２８ｅによって、支持部材２４の貫通部２４ｄと配線２８ｄとが接触しにくくなり、配線２８ｄの損傷を抑制することができる。
第２の例の場合、第１の例のように、貫通部２４ｄが支持部材２４の電源部２８に対向する位置に設けられている必要はない。貫通部２４ｄが支持部材２４のどの位置に設けられていても、配線保護用絶縁部材２８ｅが貫通部２４ｄに密着して設けられていれば良い。
【０１３５】
（３）第３の例
図２９（ｃ）は、電源基板２８ａと、絶縁部材２８ｂと、支持部材２４に設けられた貫通部２４ｄを通じて基板支持面２４ａ側に導出される配線２８ｄとの構成を示す断面図である。
図２９（ｃ）に示すように、絶縁部材２８ｂとは異なる部品である配線保護用絶縁部材２８ｅが、少なくとも貫通部２４ｄの内壁を覆って設けられていても良い。配線保護用絶縁部材２８ｅは、例えば、絶縁性を有する樹脂材料で形成される。
【０１３６】
図２９（ｃ）に示すように、配線保護用絶縁部材２８ｅは少なくとも貫通部２４ｄの内壁を覆って設けられている。このため、支持部材２４の貫通部２４ｄの角部と配線２８ｄとが接触しにくくなり、配線２８ｄの損傷を抑制することができる。
また、配線保護用絶縁部材２８ｅが支持部材２４の基板支持面２４ａ及び電源部支持面２４ｂまで覆っていても構わない。この場合、配線保護用絶縁部材２８ｅは、支持部材２４の基板支持面２４ａ及び電源部支持面２４ｂと貫通部２４ｄの内壁とで形成される角部を覆っており、より配線２８ｄの損傷を抑制することができる。
第３の例の場合も、貫通部２４ｄが支持部材２４の電源部２８に対向する位置に設けられている必要はなく、貫通部２４ｄが支持部材２４のどの位置に設けられていても、配線保護用絶縁部材２８ｅが貫通部２４ｄの内壁を覆うように設けられていれば良い。
【０１３７】
［本発明の効果］
以上説明した本発明の一実施形態に係る照明装置によれば、以下の効果を得ることができる。
（１）本発明の一実施形態に係る照明装置は、長尺状の器具本体と、器具本体の長手方向に直列に取り付けられる長尺状の複数の発光ユニットと、を備える。器具本体は、当該器具本体に固定され、かつ、器具本体に複数の発光ユニットの各々を離間して配置するための位置決め部材を有する。発光ユニットは、複数の発光素子が実装された発光素子基板と、発光素子基板を覆う透光性カバーと、を含む。位置決め部材は、発光ユニット間に、発光素子基板及び透光性カバーのうち少なくとも一方の膨張を許容する間隔を確保する。
このように、本発明の一実施形態に係る照明装置は、器具本体に複数の発光ユニットを直列に配置する際に、位置決め部材を用いて発光ユニットを離間して配置し、「発光ユニット間にカバー等の膨張を許容する間隔を確保することが可能である。
【０１３８】
（２）位置決め部材により確保される発光素子基板間の間隔は、発光素子基板において長手方向に隣接する発光素子間の距離以下である。
このように、発光素子基板間の間隔を、発光素子基板上の発光素子間の距離以下とすることで、発光素子基板同士の連結部分を目立たなくし、隣接する発光素子基板間の連続性を確保することができる。
なお、発光素子基板間の間隔については、発光ユニット間での発光素子基板同士の間隔に限らず、発光ユニット内に複数の発光素子基板を配置した時の発光素子基板同士の間隔も想定している。すなわち、発光素子基板間の間隔は、「発光ユニット間及び発光ユニット内における発光素子基板間の間隔」である。
【０１３９】
（３）発光ユニットは、発光ユニット間において発光ユニットの長手方向の端部に取り付けられ、発光ユニットの短手方向の外側に突出した突出部を含むエンドカバーを更に有する。位置決め部材は、隣接する発光ユニット同士のエンドカバーの突出部を支持して発光ユニット間の間隔を確保する。
このように、位置決め部材が、発光ユニットの短手方向に突出したエンドカバーの突出部のみを支持し、エンドカバーの突出部以外の部分を支持しないことで、エンドカバー間の隙間を確保し、膨張を許容する間隔を確保することができる。
【０１４０】
（４）位置決め部材は、器具本体の外側面と接触する上面部と、上面部に連なり器具本体に設けられた差込口から差し込まれて発光ユニットと接触する差込部と、を備える。差込部は、上面部と対向する底面部と、底面部の右側端部が上方に向けて折り曲げられた右側面部と、底面部の左側端部が上方に向けて折り曲げられた左側面部と、を有する。右側面部及び左側面部は、隣接する発光ユニット同士のエンドカバーの突出部と接触する。底面部は、隣接する発光ユニット同士のエンドカバーの突出部を支持して発光ユニット間の間隔を確保する。
このように、発光ユニットの短手方向に突出したエンドカバーの突出部の間に位置決め部材のコの字型の部分を配置することで、発光ユニット間の間隔を確保することができる。
【０１４１】
［その他］
本発明の範囲は、図示され記載された例示的な実施形態に限定されるものではなく、本発明が目的とするものと均等な効果をもたらす全ての実施形態をも含む。更に、本発明の範囲は、請求項に係る発明の特徴の組み合わせに限定されるものではなく、全ての開示されたそれぞれの特徴のうち特定の特徴のあらゆる所望する組み合わせによって画され得る。
【符号の説明】
【０１４２】
１  照明装置
１０  器具本体
１１１  取付凹部
１１２  天板部
１１３  側縁部
１１３ａ  第１斜面部
１１３ｂ  平坦部
１１３ｃ  第２斜面部
１９  位置決め部材
１９１  上面部
１９２  側面部
１９３  差込部
１９３ａ  底面部
１９３ｂ  右側面部
１９３ｃ  左側面部
２０  発光ユニット
２１  発光素子
２２  透光性カバー
２２１  主カバー部
２２２  第１エンドカバー
２２３  第２エンドカバー
２３  発光素子基板
２４  支持部材
２４ｄ  貫通部
２５  基板固定部材
２８  電源部
【図１】
0006449662.tif 000002
【図２】
0006449662.tif 000003
【図３】
0006449662.tif 000004
【図４】
0006449662.tif 000005
【図５】
0006449662.tif 000006
【図６】
0006449662.tif 000007
【図７】
0006449662.tif 000008
【図８】
0006449662.tif 000009
【図９】
0006449662.tif 000010
【図１０】
0006449662.tif 000011
【図１１】
0006449662.tif 000012
【図１２】
0006449662.tif 000013
【図１３】
0006449662.tif 000014
【図１４】
0006449662.tif 000015
【図１５】
0006449662.tif 000016
【図１６】
0006449662.tif 000017
【図１７】
0006449662.tif 000018
【図１８】
0006449662.tif 000019
【図１９】
0006449662.tif 000020
【図２０】
0006449662.tif 000021
【図２１】
0006449662.tif 000022
【図２２】
0006449662.tif 000023
【図２３】
0006449662.tif 000024
【図２４】
0006449662.tif 000025
【図２５】
0006449662.tif 000026
【図２６】
0006449662.tif 000027
【図２７】
0006449662.tif 000028
【図２８】
0006449662.tif 000029
【図２９】
0006449662.tif 000030